(57)【特許請求の範囲】
【請求項１】
ａ）アルギン酸ナトリウム、
ｂ）ラウリルジメチルアミノ酢酸ナトリウム、及び
ｃ）フルオロアルキルアミノカルボン酸ナトリウム
を配合してなることを特徴とする洗浄剤。
【発明の詳細な説明】
【０００１】
【発明の属する技術分野】
本発明は、タイル、床面、壁面などに使用する洗浄剤に関する。より詳細には、厨房、トイレ、浴室、浴槽の壁面などの傾斜面や垂直面の洗浄に特に有用な洗浄剤に関する。
【０００２】
【従来の技術】
厨房、トイレ、浴室、浴槽などの洗浄に用いる洗浄剤は、液状及び固体状のものが市販されている。液状の洗浄剤は、通常スプレー付き容器を使用して壁面などにスプレーして用いるが、壁面など、傾斜面や垂直面にも適用する必要があるので、洗浄剤が傾斜面や垂直面にとどまり有効に作用しなければならない。
従来の液状の洗浄剤では、スプレーしても洗浄剤が傾斜面や垂直面に付着することができず、短時間で流れ落ちてしまい、有効な洗浄作用を発揮することができなかった。また、スプレーすることで洗浄剤が泡状となり、流れ落ちを一時的に防止する洗浄剤もあるが、傾斜面や垂直面に長時間付着を保つことができる洗浄剤はなかった。
【０００３】
【発明が解決しようとする課題】
本発明は、上記のような従来技術の問題点を解決しようとするもので、スプレーにより泡沫を形成し、傾斜面や壁面に長時間付着することができて、有効な洗浄効果を発揮することのできる洗浄剤を提供することを課題とする。また、本発明の課題は、洗浄後に、洗浄剤を洗い流した後の壁面等に、殺菌性を付与できて、かつ光沢を与えることができる洗浄剤を提供することにある。
【０００４】
【課題を解決するための手段】
本発明は、上記課題を解決したものである。
すなわちこの発明は、
（１）ａ）アルギン酸あるいはその誘導体、及び天然又は合成の水溶性高分子化合物から選ばれる少なくとも一種、
ｂ）起泡性アニオン界面活性剤及び両性界面活性剤から選ばれる少なくとも一種の界面活性剤、及び
ｃ）フッ素系界面活性剤から選ばれる少なくとも一種の界面活性剤
を配合してなることを特徴とする洗浄剤、及び
（２）ａ）アルギン酸あるいはその誘導体及び／又はキサンタンガム、
ｂ）起泡性両性界面活性剤、及び
ｃ）フッ素系界面活性剤
を配合してなることを特徴とする洗浄剤、
に関するものである。
【０００５】
本発明では、粘性のあるアルギン酸又はその誘導体、及び天然又は合成の水溶性高分子化合物から選ばれる少なくとも一種を洗浄剤に配合することで、洗浄剤に粘性を付与し、壁面などへの長時間付着性を得ている。また、これらの化合物は粘度調整作用を有するために、泡が消えないで長時間保持される。
起泡性アニオン界面活性剤及び両性界面活性剤から選ばれる少なくとも一種の界面活性剤は、洗浄剤に起泡性および流動性を与える。
また、フッ素系界面活性剤から選ばれた少なくとも一種の界面活性剤を用いることによって、洗浄作用を向上させるとともに、洗浄剤を洗い流した後の壁面等に殺菌性と光沢を付与することができる。
【０００６】
【発明の実施の形態】
以下に、本発明の洗浄剤について詳細に説明する。
本発明の洗浄剤のａ）成分としては、アルギン酸又はアルギン酸塩等のアルギン酸誘導体、又はキサンタンガム、ウェランガム、ジェランガム、ランザンガム、市販のアラビヤゴム糊等の水溶性天然高分子類、又はポリアクリル酸又はその誘導体、ポリメタアクリル酸又はその誘導体、ポリエチレングリコール、ポリプロピレングリコール、ポリ塩化ビニルアルコール、カルボキシメチルセルロース(ＣＭＣ) 、ヒドロキシエチルセルロース（ＨＥＣ）などの水溶性合成高分子類があげられる。これらの成分は単独で用いても、２種以上組合せて用いても良い。特にアルギン酸ナトリウム及び／またはキサンタンガムを用いることが好ましい。
これらのａ）成分は、粘度調整作用を有するので、洗浄剤に粘性を付与し、泡沫を形成した洗浄剤が壁面などに長時間とどまることができ、また泡が長時間消えないという泡沫耐液性を付与することができる。
【０００７】
ｂ)成分の起泡性アニオン界面活性剤及び／又は両性界面活性剤としては、ラウリル(ドデシル)硫酸ナトリウム、ラウリルエーテル硫酸ナトリウム、トリエタノールアミンラウリルサルフェート等のアニオン型界面活性剤、ラウリルジメチルアミノ酢酸ナトリウム等の両性界面活性剤が挙げられる。これらは、単独で用いても良いし、２種類以上組合せて用いることもできる。トリエタノールアミンラウリルサルフェートまたはラウリルジメチルアミノ酢酸ナトリウムが好ましく、特にラウリルジメチルアミノ酢酸ナトリウムが好ましい。
これらの成分は、洗浄剤に起泡性を与え、且つ、洗浄剤に適度の流動性を与えることができるので、ｂ）成分によって、本発明は、良好な泡沫を形成し、壁面等に良好に展開することができる。
【０００８】
ｃ）成分のフッ素系界面活性剤としては、例えばＮ，Ｎ，Ｎ−トリメチルＮ−３−（パーフルオロオクチルスルホニルアミノ）プロピルアンモニウムアイオダイド［Ｃ8Ｆ17ＳＯ2ＮＨ（ＣＨ2）3Ｎ+（ＣＨ3）3Ｉ-］、フルオロアルキルアミノカルボン酸型両性界面活性剤が挙げられるが、フルオロアルキルアミノカルボン酸ナトリウムがトイレ、タイル等の壁面に対する洗浄作用を著しく向上させる作用があるので好ましい。
フッ素系界面活性剤は、洗浄後の壁面等に殺菌性と光沢を付与する作用も有している。。
【０００９】
ａ）、ｂ）及びｃ）成分の配合割合は、ａ）が１０〜４５重量％、ｂ）が１５〜６５重量％、ｃ）が１５〜４０重量％である。ａ）が１０重量％未満であると、粘度が劣り泡沫耐液性が悪くなり、４５重量％を超えると、粘度が高すぎ洗浄力が低下してくる。ｂ）が１５重量％未満あるいは６５重量％を超えると、起泡性及び洗浄性が悪くなる。ｃ）が１５重量％未満であると、洗浄性、殺菌性や光沢の付与に劣り、４０重量％を超えても、洗浄性、殺菌性及び光沢の付与性が悪くなる。
【００１０】
以下にこの発明の実施例を示すが、本発明は、これに限定されるものではない。
【実施例１】
（配合成分）
キサンタンガム                                      ７ｇ
ラウリルジメチルアミノ酢酸ナトリウム              ３０ｇ
フルオロアルキルアミノカルボン酸ナトリウム        １０ｇ
エチレングリコール                                ２０ｇ
水                                                ６０ｇ
【００１１】
上記の成分を配合し、８０〜９５℃に約４時間、加温しつつ攪拌する。得られた均質溶液に水を加えて６重量％水溶液とする。なお、この水溶液の濃度は、上記配合成分の溶質合計の水溶液全体に対する濃度である。
【００１２】
（洗浄試験）
得られた洗浄液を逆さスプレータイプのスプレー容器に充填し、トイレのタイル汚れ面にスプレーした。
スプレー後２〜５時間置いて、水で洗浄する。水で洗浄後、壁面の汚れは、１００％洗浄されていた。また、水で洗浄した後、タイルの光沢が良かった。
【００１３】
試験結果を表１に示す。
発泡倍率は、スプレー後の泡容量を、スプレー前の容量で割って求めた。泡が、持続する時間を測定して、泡沫耐液性とした。
【表１】
0003635221.tif 000002
【００１４】
【実施例２】
キサンタンガムの代わりに、アルギン酸ナトリウム１５ｇを配合する以外は、実施例１と同様にして洗浄剤を製造した。水溶液濃度は１０重量％にする。
実施例１と同様に、タイル汚れ面にスプレーして洗浄に用いたところ、水で洗浄した後、タイルの汚れは１００％除去されていた。
【００１５】
【比較例１】
比較例として、３％アルキル硫酸エステルナトリウム、キレート剤、泡調整剤を含有する花王「トイレ用洗浄剤」（市販品）を用いて、実施例１と同様にして洗浄試験を行った。  結果を表２に示す。
【表２】
0003635221.tif 000003
【００１６】
上記の実施例と比較例の対比から、アルギン酸ナトリウム又はキサンタンガムを配合しない比較例では、泡沫耐液性が劣るのに対して、本発明の洗浄剤はアルギン酸ナトリウム又はキサンタンガムを配合することで、泡沫耐液性に優れる泡沫洗浄剤が得られた。
【００１７】
【発明の効果】
本発明の洗浄剤は、泡沫耐液性について、従来品より顕著に優れている。また、洗浄性、貯蔵性、使用量の点から見ても、十分満足のいくものが得られた。